【手続補正書】
【提出日】平成18年4月21日(2006.4.21)
【手続補正１】
【補正対象書類名】明細書
【補正対象項目名】発明の名称
【補正方法】変更
【補正の内容】
【発明の名称】通信システムの制御方法、データ処理装置、通信装置、並びにコンピュータプログラム
【手続補正２】
【補正対象書類名】明細書
【補正対象項目名】特許請求の範囲
【補正方法】変更
【補正の内容】
【特許請求の範囲】
【請求項１】  複数の通信装置と少なくとも１つのデータ処理装置とが接続される通信システムの制御方法であって、
第１の通信装置とデータ処理装置とが接続され、前記データ処理装置で前記第１の通信装置から要求されたデータ処理を実行中に、第２の通信装置からの接続要求を受け付ける工程と、
前記第２の通信装置からの問い合わせに対して前記データ処理装置の動作状態を通知する工程と、
前記データ処理装置の動作状態に応じて前記第２の通信装置での通信を制御する工程と、
を有することを特徴とする通信システムの制御方法。
【請求項２】  複数の通信装置と少なくとも１つのデータ処理装置とが接続される通信システムにおけるデータ処理装置であって、
第１の通信装置と接続し、前記第１の通信装置から要求されたデータ処理を実行中に、第２の通信装置からの接続要求を受け付ける手段と、
前記第２の通信装置からの問い合わせに対して前記データ処理装置の動作状態を通知する通知手段と、
を有することを特徴とするデータ処理装置。
【請求項３】  前記通知手段は、前記データ処理装置の動作状態として、少なくとも印刷中かアイドル中かの何れかを通知することを特徴とする請求項２記載のデータ処理装置。
【請求項４】  前記通知手段は、前記データ処理装置の動作状態として、少なくともデータ処理するデータ量とデータ処理済みのデータ量を通知することを特徴とする請求項２記載のデータ処理装置。
【請求項５】  前記通知手段は、前記データ処理装置の動作状態として、接続している通信装置の数を通知することを特徴とする請求項２記載のデータ処理装置。
【請求項６】  複数の通信装置と少なくとも１つのデータ処理装置とが接続される通信システムにおける通信装置であって、
データ処理装置に対して接続を要求する要求手段と、
前記データ処理装置の動作状態を通知するように問い合わせる問合せ手段と、
前記データ処理装置の動作状態に応じて通信を制御する制御手段と、
を有することを特徴とする通信装置。
【請求項７】  前記制御手段は、前記データ処理装置の動作状態が印刷中の場合、前記通信を省電力状態とすることを特徴とする請求項６記載の通信装置。
【請求項８】  前記制御手段は、前記データ処理装置の動作状態が印刷中の場合、前記問合せ手段によって問い合わせを行う時間間隔を長くするように制御することを特徴とする請求項６記載の通信装置。
【請求項９】  前記制御手段は、前記データ処理装置がデータ処理するデータ量とデータ処理済みのデータ量とを比較し、比較結果に応じて、前記通信を切断することを特徴とする請求項６記載の通信装置。
【請求項１０】  前記制御手段は、前記データ処理装置と接続している通信装置の数に応じて、前記通信を切断することを特徴とする請求項６記載の通信装置。
【請求項１１】  複数の通信装置と少なくとも１つのデータ処理装置とが接続される通信システムにおけるデータ処理装置であって、
第１の通信装置と接続している際に、第２の通信装置からの接続要求を検出する検出手段と、
前記第２の通信装置からの問い合わせに対して前記データ処理装置の動作状態を通知する通知手段と、
を有することを特徴とするデータ処理装置。
【請求項１２】  特定の処理シーケンスに従って送信したデータを相手に処理させるデータ処理装置において、
第１の通信装置と接続している際に、第２の通信装置からの接続要求を検出する検出手段と、
前記第２の通信装置からの前記特定のシーケンスに基づく問い合わせに応じて、前記第２の通信装置が前記特定のシーケンスを継続するか否かを判別させるために前記データ処理装置の動作状態を通知する通知手段と、
を有することを特徴とするデータ処理装置。
【請求項１３】  複数の通信装置と少なくとも１つのデータ処理装置とが接続される通信システムにおけるデータ処理装置の制御方法であって、
第１の通信装置と接続し、前記第１の通信装置から要求されたデータ処理を実行中に、第２の通信装置からの接続要求を受け付ける工程と、
前記第２の通信装置からの問い合わせに対して前記データ処理装置の動作状態を通知する通知工程と、
を有することを特徴とするデータ処理装置の制御方法。
【請求項１４】  複数の通信装置と少なくとも１つのデータ処理装置とが接続される通信システムにおける通信装置の制御方法であって、
データ処理装置に対して接続を要求する要求工程と、
前記データ処理装置の動作状態を通知するように問い合わせる問合せ工程と、
前記データ処理装置の動作状態に応じて通信を制御する制御工程と、
を有することを特徴とする通信装置の制御方法。
【請求項１５】  複数の通信装置と少なくとも１つのデータ処理装置とが接続される通信システムにおけるデータ処理装置の制御方法であって、
第１の通信装置と接続している際に、第２の通信装置からの接続要求を検出する検出工程と、
前記第２の通信装置からの問い合わせに対して前記データ処理装置の動作状態を通知する通知工程と、
を有することを特徴とするデータ処理装置の制御方法。
【請求項１６】  特定の処理シーケンスに従って送信したデータを相手に処理させるデータ処理装置の制御方法であって、
第１の通信装置と接続している際に、第２の通信装置からの接続要求を検出する検出工程と、
前記第２の通信装置からの前記特定のシーケンスに基づく問い合わせに応じて、前記第２の通信装置が前記特定のシーケンスを継続するか否かを判別させるために前記データ処理装置の動作状態を通知する通知工程と、
を有することを特徴とするデータ処理装置の制御方法。
【請求項１７】  請求項１又は請求項１３乃至請求項１６の何れか一項に記載の制御方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、通信システムの制御方法、データ処理装置、通信装置、並びにコンピュータプログラムに関する。
【手続補正４】
【補正対象書類名】明細書
【補正対象項目名】００１５
【補正方法】変更
【補正の内容】
【００１５】
本発明は、複数の通信装置と少なくとも１つのデータ処理装置が接続されるシステムにおいて、データ処理装置の動作状態に応じて、通信装置の通信を制御することを目的とする。
【手続補正５】
【補正対象書類名】明細書
【補正対象項目名】００１６
【補正方法】変更
【補正の内容】
【００１６】
また、本発明は、１つのデータ処理装置に複数の通信装置が接続しても、効率よくデータ処理を行えるようにすることを目的とする。
【手続補正６】
【補正対象書類名】明細書
【補正対象項目名】００１７
【補正方法】変更
【補正の内容】
【００１７】
【課題を解決するための手段】
上記目的を達成するために、本発明は、複数の通信装置と少なくとも１つのデータ処理装置とが接続される通信システムの制御方法であって、第１の通信装置とデータ処理装置とが接続され、前記データ処理装置で前記第１の通信装置から要求されたデータ処理を実行中に、第２の通信装置からの接続要求を受け付ける工程と、前記第２の通信装置からの問い合わせに対して前記データ処理装置の動作状態を通知する工程と、前記データ処理装置の動作状態に応じて前記第２の通信装置での通信を制御する工程とを有することを特徴とする。
【手続補正７】
【補正対象書類名】明細書
【補正対象項目名】００１８
【補正方法】変更
【補正の内容】
【００１８】
また本発明は、複数の通信装置と少なくとも１つのデータ処理装置とが接続される通信システムにおけるデータ処理装置の制御方法であって、第１の通信装置と接続し、前記第１の通信装置から要求されたデータ処理を実行中に、第２の通信装置からの接続要求を受け付ける工程と、前記第２の通信装置からの問い合わせに対して前記データ処理装置の動作状態を通知する通知工程とを有することを特徴とする。
【手続補正８】
【補正対象書類名】明細書
【補正対象項目名】００１９
【補正方法】変更
【補正の内容】
【００１９】
更に本発明は、複数の通信装置と少なくとも１つのデータ処理装置とが接続される通信システムにおける通信装置の制御方法であって、データ処理装置に対して接続を要求する要求工程と、前記データ処理装置の動作状態を通知するように問い合わせる問合せ工程と、前記データ処理装置の動作状態に応じて通信を制御する制御工程とを有することを特徴とする。
【手続補正９】
【補正対象書類名】明細書
【補正対象項目名】００５０
【補正方法】変更
【補正の内容】
【００５０】
以上のように、本実施例によれば、同じ装置に複数の装置が接続した場合でも、１対１接続で使われていた手順を使って効率良く、情報処理を行うことができる。
【発明の効果】
以上説明したように、本発明によれば、１つのデータ処理装置に複数の通信装置が接続した場合であっても、効率良くデータ処理を行うことができる。